(57)【要約】【課題】  複数台の室外ユニットと複数台の室内ユニットとを１系統の通信ネットワークにより接続してなる空調システムにおいて、室内ユニットと室外ユニットとの冷媒系統の接続状態を高い精度で検出でき、室内ユニットに対して冷媒接続に応じたアドレスを自動的に設定すること。【解決手段】  室外ユニットを１台だけ運転させた状態において、室内ユニットの膨張弁を１台ずつ開閉操作し、このときの室内ユニット及び室外ユニットの状態量の変化により、各室内ユニットが運転中の室外ユニットと同一冷媒系統で接続されているか否かを判定する。このように、室内ユニットが室外ユニットの子機に該当するか否かを、室内ユニットを１台ずつ操作することにより判断し、その接続状態を確実に確認しながらアドレス設定を行う。【選択図】      図１
2007085673.tif 000002
【特許請求の範囲】
【請求項１】
複数台の室外ユニットと複数台の室内ユニットとを１系統の通信ネットワークにより接続してなる空調システムのアドレス設定方法であって、
全ての室内ユニットの膨張弁を閉じた状態で、一の室外ユニットを運転させる室外ユニット運転過程と、
前記一の室外ユニットを運転させた状態で、一の室内ユニットの膨張弁を所定の開度まで開操作する膨張弁操作過程と、
前記一の室内ユニットが備える熱交換器の温度、及び、前記一の室外ユニットが備える圧縮機の吸入側圧力の少なくともいずれか一方に基づいて、前記一の室内ユニットが前記一の室外ユニットと同一冷媒系統で接続されているか否かを判定する判定過程と、
前記同一冷媒系統で接続されていると判定した場合に、前記一の室内ユニットに対してアドレスを設定するアドレス設定過程と、
前記膨張弁を操作する前記一の室内ユニットを順次切り替える切替過程と
を具備する空調システムのアドレス設定方法。
【請求項２】
前記一の室外ユニットの圧縮機の吸入側圧力が運転許容値を下回った場合に、前記一の室外ユニットの運転を停止させて、前記一の室外ユニットの圧縮機の吸入側圧力を回復させ、その後、前記一の室外ユニットを再び運転させる圧力回復過程を備える請求項１に記載の空調システムのアドレス設定方法。
【請求項３】
複数台の室外ユニットと複数台の室内ユニットとを１系統の通信ネットワークにより接続してなる空調システムのアドレス設定方法であって、
全ての室内ユニットの膨張弁を閉じた状態で、一の室外ユニットを運転させ、該一の室外ユニットが備える圧縮機の吸入側圧力が運転停止圧力以下となった場合に運転を停止させる室外ユニット運転制御過程と、
前記一の室外ユニットを運転停止させた状態で、一の室内ユニットの膨張弁を所定の開度まで開操作する膨張弁操作過程と、
前記膨張弁の操作時から所定時間内における前記一の室外ユニットの圧縮機の吸入側圧力、及び、前記一の室内ユニットの熱交換器の温度の少なくともいずれか一方に基づいて、前記一の室内ユニットが前記一の室外ユニットと同一冷媒系統で接続されていると判定する判定過程と、
前記同一冷媒系統で接続されていると判定した場合に、前記一の室内ユニットに対してアドレスを設定するアドレス設定過程と
前記膨張弁を操作する前記一の室内ユニットを順次切り替える切替過程と
を具備する空調システムのアドレス設定方法。
【請求項４】
前記一の室外ユニットの圧縮機の吸入側圧力と前記一の室外ユニットの起動前における該圧縮機の吸入側圧力との差圧が判定可能値以下となった場合に、前記一の室外ユニットの運転を再開させ、該圧縮機の吸入側圧力が前記運転停止圧力以下となったところで前記一の室外ユニットの運転を停止させる強制運転過程を備える請求項３に記載の空調システムのアドレス設定方法。
【請求項５】
前記一の室外ユニットの運転中において、他の室外ユニットの圧縮機の吸入側圧力が変化した場合には、前記他の室外ユニットに対して前記一の室外ユニットの子機であることを示すアドレスを設定する請求項１から請求項４のいずれかの項に記載の空調システムのアドレス設定方法。
【請求項６】
複数台の室外ユニットと複数台の室内ユニットとを１系統の通信ネットワークにより接続してなる空調システムのアドレス設定を行うためのアドレス設定プログラムであって、
全ての室内ユニットの膨張弁を閉じた状態で、一の室外ユニットを運転させる室外ユニット運転処理と、
前記一の室外ユニットを運転させた状態で、一の室内ユニットの膨張弁を所定の開度まで開操作する膨張弁操作処理と、
前記一の室内ユニットが備える熱交換器の温度、及び、前記一の室外ユニットが備える圧縮機の吸入側圧力の少なくともいずれか一方に基づいて、前記一の室内ユニットが前記一の室外ユニットと同一冷媒系統で接続されているか否かを判定する判定処理と、
前記同一冷媒系統で接続されていると判定した場合に、前記一の室内ユニットに対してアドレスを設定するアドレス設定処理と、
前記膨張弁を操作する前記一の室内ユニットを順次切り替える切替処理と
をコンピュータに実行させるための空調システムのアドレス設定プログラム。
【請求項７】
複数台の室外ユニットと複数台の室内ユニットとを１系統の通信ネットワークにより接続してなる空調システムのアドレス設定を行うためのアドレス設定プログラムであって、
全ての室内ユニットの膨張弁を閉じた状態で、一の室外ユニットを運転させ、該一の室外ユニットが備える圧縮機の吸入側圧力が運転停止圧力以下となった場合に運転を停止させる室外ユニット運転制御処理と、
前記一の室外ユニットを運転停止させた状態で、一の室内ユニットの膨張弁を所定の開度まで開操作する膨張弁操作処理と、
前記膨張弁の操作時から所定の時間経過内における前記一の室外ユニットの圧縮機の吸入側圧力、及び、前記一の室内ユニットの熱交換器の温度の少なくともいずれか一方に基づいて、前記一の室内ユニットが前記一の室外ユニットと同一冷媒系統で接続されていると判定する判定処理と、
前記同一冷媒系統で接続されていると判定した場合に、前記一の室内ユニットに対してアドレスを設定するアドレス設定処理と
前記膨張弁を操作する前記一の室内ユニットを順次切り替える切替処理と
をコンピュータに実行させるための空調システムのアドレス設定プログラム。
【発明の詳細な説明】
【技術分野】
【０００１】
本発明は、空調システムのアドレス設定方法及びプログラムに関するものである。
【背景技術】
【０００２】
従来、例えば、１台の室外ユニット及び複数の室内ユニットが同一冷媒系統で接続されるマルチ空調機が通信ネットワークにより接続してなる空調システムが知られている。
従来のアドレス制御は、冷媒系統が１系統のみの場合、室外ユニットのアドレスを固定し、自動的にそのネットワーク内の室内アドレスを採番することで、アドレス制御を実施していた。しかしながら、冷媒系統が複数になると、室外アドレスが固定できないため、アドレス設定が複雑となる。
この問題に対し、室内ユニットの電子膨張弁を開けた状態で特定の室外ユニットを運転させ、室内ユニットの熱交換器の温度変化を検知したものを接続ユニットとしてアドレス登録する方法が提案されている（特許文献１参照）。
【特許文献１】特許第３２１９５６８号公報
【発明の開示】
【発明が解決しようとする課題】
【０００３】
しかしながら、上記方法では、温度検知に時間がかかるため、アドレス設定が完了するまでに時間がかかるという問題があった。
更に、熱交換器の温度は、室外気温、配管長、接続容量等により変化してしまうため、温度変化を精度良く検知できず、誤検知などが生じ、室外ユニットと室内ユニットとの冷媒接続状態を高い精度で検知することができないという問題があった。
【０００４】
本発明は、上記問題を解決するためになされたもので、複数台の室外ユニットと複数台の室内ユニットとを１系統の通信ネットワークにより接続してなる空調システムにおいて、室内ユニットと室外ユニットとの冷媒系統の接続状態を高い精度で検出でき、室内ユニットに対して冷媒接続に応じたアドレスを自動的に設定することのできる空調システムのアドレス設定方法及びプログラムを提供することを目的とする。
【課題を解決するための手段】
【０００５】
上記課題を解決するために、本発明は以下の手段を採用する。
本発明は、複数台の室外ユニットと複数台の室内ユニットとを１系統の通信ネットワークにより接続してなる空調システムのアドレス設定方法であって、全ての室内ユニットの膨張弁を閉じた状態で、一の室外ユニットを運転させる室外ユニット運転過程と、前記一の室外ユニットを運転させた状態で、一の室内ユニットの膨張弁を所定の開度まで開操作する膨張弁操作過程と、前記一の室内ユニットが備える熱交換器の温度、及び、前記一の室外ユニットが備える圧縮機の吸入側圧力の少なくともいずれか一方に基づいて、前記一の室内ユニットが前記一の室外ユニットと同一冷媒系統で接続されているか否かを判定する判定過程と、前記同一冷媒系統で接続されていると判定した場合に、前記一の室内ユニットに対してアドレスを設定するアドレス設定過程と、前記膨張弁を操作する前記一の室内ユニットを順次切り替える切替過程とを具備する空調システムのアドレス設定方法を提供する。
【０００６】
このように、室外ユニットを１台だけ運転させた状態において、室内ユニットの膨張弁を１台ずつ開閉操作し、このときの室内ユニット及び室外ユニットの状態量の変化により、各室内ユニットが運転中の室外ユニットと同一冷媒系統で接続されているか否かを判定する。これにより、冷媒量が不確定な場合でも、配管長、外気温、及び接続容量等の影響を受けることなく、室外ユニットと室内ユニットとの冷媒系統の接続状態を高い精度で検出することができる。
【０００７】
また、本発明のアドレス設定方法によれば、空調機据付後におけるアドレス設定、アドレス変更が可能となるので、空調機据付時のアドレス設定工事を省略することができるとともに、その工事費の低減を図ることができる。更に、室外アドレススイッチ等が不要となるので、室内外ユニットの部品点数の低減を図ることも可能となる。
上記アドレス設定方法において、例えば、判定過程は、前記一の室内ユニットの膨張弁を操作してから所定の時間経過後において、熱交換器の温度が規定値以下であった場合、又は、室外ユニットの圧縮機の吸入側圧力が規定値以下であった場合に、一の室内ユニットが一の室外ユニットと同一冷媒系統で接続されていると判定する。
【０００８】
なお、ヒートポンプ運転時におけるアドレス設定時においても、同様に、膨張弁を操作することにより同一冷媒系統で接続されているか否かを判定することが可能である。つまり、ヒートポンプ運転時においては、一般的に膨張弁は常に全開の状態で用いられ、膨張弁としての機能は果たさないが、この場合においても、この膨張弁の開閉により、熱交換器への冷却ガスの供給量を制御することにより、上述と同様の手法によりアドレス設定を行うことができる。
【０００９】
上記空調システムのアドレス設定方法は、前記一の室外ユニットの圧縮機の吸入側圧力が運転許容値を下回った場合に、前記一の室外ユニットの運転を停止させて、前記一の室外ユニットの圧縮機の吸入側圧力を回復させ、その後、前記一の室外ユニットを再び運転させる圧力回復過程を備えていても良い。
【００１０】
このように、室外ユニットの圧縮機の吸入側圧力が運転許容値を下回った場合には、一の室外ユニットの運転を停止させて、圧縮機の吸入側圧力を回復させるので、圧縮機の故障等を防止することが可能となる。
【００１１】
本発明は、複数台の室外ユニットと複数台の室内ユニットとを１系統の通信ネットワークにより接続してなる空調システムのアドレス設定方法であって、全ての室内ユニットの膨張弁を閉じた状態で、一の室外ユニットを運転させ、該一の室外ユニットが備える圧縮機の吸入側圧力が運転停止圧力以下となった場合に運転を停止させる室外ユニット運転制御過程と、前記一の室外ユニットを運転停止させた状態で、一の室内ユニットの膨張弁を所定の開度まで開操作する膨張弁操作過程と、前記膨張弁の操作時から所定時間内における前記一の室外ユニットの圧縮機の吸入側圧力、及び、前記一の室内ユニットの熱交換器の温度の少なくともいずれか一方に基づいて、前記一の室内ユニットが前記一の室外ユニットと同一冷媒系統で接続されていると判定する判定過程と、前記同一冷媒系統で接続されていると判定した場合に、前記一の室内ユニットに対してアドレスを設定するアドレス設定過程と、前記膨張弁を操作する前記一の室内ユニットを順次切り替える切替過程とを具備する空調システムのアドレス設定方法を提供する。
【００１２】
このように、一の室外ユニットの圧縮機の吸入側圧力を低下させた状態において、各室内ユニットの膨張弁を１台ずつ開け、このときの室内外ユニットの状態量に応じて、膨張弁を操作している室内ユニットが一の室外ユニットと同一冷媒系統で接続されているかを判定する。これにより、冷媒量が不確定な場合でも、配管長、外気温、及び接続容量等の影響を受けることなく、室外ユニットと室内ユニットとの冷媒系統の接続状態を高い精度で検出することができる。
また、本発明のアドレス設定方法によれば、空調機据付後におけるアドレス設定、アドレス変更が可能となるので、空調機据付時のアドレス設定工事を省略することができるとともに、その工事費の低減を図ることができる。更に、室外アドレススイッチ等が不要となるので、室内外ユニットの部品点数の低減を図ることも可能となる。
【００１３】
上記空調システムのアドレス設定方法は、前記一の室外ユニットの圧縮機の吸入側圧力と前記一の室外ユニットの起動前における該圧縮機の吸入側圧力との差圧が判定可能値以下となった場合に、前記一の室外ユニットの運転を再開させ、該圧縮機の吸入側圧力が前記運転停止圧力以下となったところで前記一の室外ユニットの運転を停止させる強制運転過程を備えていても良い。
【００１４】
このように、強制運転過程を備えることにより、冷媒系統の接続状態の検出精度を維持しながらアドレス設定を行うことが可能となる。
【００１５】
上記一の室外ユニットの運転中において、他の室外ユニットの圧縮機の吸入側圧力が変化した場合には、前記他の室外ユニットに対して前記一の室外ユニットの子機であることを示すアドレスを設定しても良い。
【００１６】
室外ユニットとして認識されていても、実際には他の室外ユニットの子機として動作する場合がある。このような場合に、一の室外ユニットを運転させ、その他の室外ユニットの状態量をモニタしておくことにより、子機として動作する室外ユニットを確実に特定することが可能となる。これにより、室外ユニット同士の冷媒系統の接続状態の検出も高い精度で行うことができる。
【００１７】
本発明は、複数台の室外ユニットと複数台の室内ユニットとを１系統の通信ネットワークにより接続してなる空調システムのアドレス設定を行うためのアドレス設定プログラムであって、全ての室内ユニットの膨張弁を閉じた状態で、一の室外ユニットを運転させる室外ユニット運転処理と、前記一の室外ユニットを運転させた状態で、一の室内ユニットの膨張弁を所定の開度まで開操作する膨張弁操作処理と、前記一の室内ユニットが備える熱交換器の温度、及び、前記一の室外ユニットが備える圧縮機の吸入側圧力の少なくともいずれか一方に基づいて、前記一の室内ユニットが前記一の室外ユニットと同一冷媒系統で接続されているか否かを判定する判定処理と、前記同一冷媒系統で接続されていると判定した場合に、前記一の室内ユニットに対してアドレスを設定するアドレス設定処理と、前記膨張弁を操作する前記一の室内ユニットを順次切り替える切替処理とをコンピュータに実行させるための空調システムのアドレス設定プログラムを提供する。
【００１８】
本発明は、複数台の室外ユニットと複数台の室内ユニットとを１系統の通信ネットワークにより接続してなる空調システムのアドレス設定を行うためのアドレス設定プログラムであって、全ての室内ユニットの膨張弁を閉じた状態で、一の室外ユニットを運転させ、該一の室外ユニットが備える圧縮機の吸入側圧力が運転停止圧力以下となった場合に運転を停止させる室外ユニット運転制御処理と、前記一の室外ユニットを運転停止させた状態で、一の室内ユニットの膨張弁を所定の開度まで開操作する膨張弁操作処理と、前記膨張弁の操作時から所定の時間経過内における前記一の室外ユニットの圧縮機の吸入側圧力、及び、前記一の室内ユニットの熱交換器の温度の少なくともいずれか一方に基づいて、前記一の室内ユニットが前記一の室外ユニットと同一冷媒系統で接続されていると判定する判定処理と、前記同一冷媒系統で接続されていると判定した場合に、前記一の室内ユニットに対してアドレスを設定するアドレス設定処理と前記膨張弁を操作する前記一の室内ユニットを順次切り替える切替処理とをコンピュータに実行させるための空調システムのアドレス設定プログラムを提供する。
【発明の効果】
【００１９】
本発明によれば、複数台の室外ユニットと複数台の室内ユニットとを１系統の通信ネットワークにより接続してなる空調システムにおいて、室内ユニットと室外ユニットとの冷媒系統の接続状態を高い精度で検出でき、室内ユニットに対して冷媒接続に応じたアドレスを自動的に設定することができるという効果を奏する。
【発明を実施するための最良の形態】
【００２０】
以下に、本発明に係る実施形態について、図面を参照して説明する。
図１は、空調システムの全体構成を示す図である。
本実施形態に係る空調システムは、図１に示すように、複数台の室外ユニット１ａ、１ｂと複数台の室内ユニット２ａ乃至２ｆを備えて構成されている。これらの室外ユニット１ａ、１ｂ並びに室内ユニット２ａ乃至２ｆは、１系統の通信ネットワーク３により接続されている。更に、この通信ネットワーク３には、本実施形態に係るアドレス設定装置１００が接続されている。
室外ユニット１ａと室内ユニット２ａ乃至２ｃとは、同一冷媒系統１０ａにより接続されている。また、室外ユニット１ｂと室内ユニット２ｄ乃至２ｆとは、同一冷媒系統１０ｂにより接続されている。
【００２１】
上記室外ユニット１ａ、１ｂ及び全ての室内ユニット２ａ乃至２ｆには、それぞれ異なる仮アドレス５ａ、５ｂ、６ａ乃至６ｆが設定されている。図１において、室外ユニット１ａの仮アドレス５ａは、「４６」であり、例えば、室内ユニット２ｃの仮アドレス６ｃは「４６／０３」である。このように、室内ユニット２ａ乃至２ｆには、親機にあたる室外ユニット１ａ、１ｂとの関連付けがなされた仮アドレスが予め設定されている。つまり、仮アドレスの最初の二桁「４６」或いは「４７」は、親機にあたる室外ユニットの仮アドレスを指している。例えば、仮アドレスが「４６／０１」である室内ユニット２ａは、仮アドレスが「４６」である室外ユニット１ａの子機として仮登録されており、仮アドレスが「４７／０３」である室内ユニット２ｆは、仮アドレスが「４７」である室外ユニット２ａの子機として仮登録がされている。
なお、本実施形態では、互いに同一冷媒系統で接続された室外ユニット及び室内ユニットにおいて、親機は、室外ユニットを指し、子機とは室内ユニットを指すものとする。
【００２２】
図２は、上記室外ユニット１ａと室内ユニット２ａ乃至２ｃとを備える空気調和機の冷凍サイクルを示す冷媒回路図である。この図において、室外ユニット１ａは、室外制御装置３０ａと室外機３１ａとを備え、各室内ユニット２ａは、室内制御装置４０ａと室内機４１ａとをそれぞれ備えている。このような構成を備える空気調和機は、冷媒を圧縮する圧縮機１２と、圧縮された冷媒を凝縮させる凝縮器（熱交換器）１３と、凝縮された液冷媒を貯留する受液器１５と、受液器１５からの液冷媒を膨張させる膨張弁１７と、膨張弁１７によって膨張された液冷媒を蒸発させる蒸発器（熱交換器）１９とを備えている。
【００２３】
上記構成のうち、圧縮機１２、凝縮器１３、受液器１５は、室外ユニット１ａを構成する室外機３１ａ内に設けられている。一方、蒸発器１９及び膨張弁１７は、室内ユニット２ａ乃至２ｃを構成する室内機４１ａ乃至４１ｃにそれぞれ設けられている。
なお、本実施形態では圧縮機１２、受液器１５は、室外機３１ａに設けられているが、これらは必ずしも室外機３１ａ内に設けられている必要は無い。
【００２４】
圧縮機１２は、蒸発器１９からの低温低圧ガス冷媒を圧縮して高温高圧のガス冷媒を作り出すものであり、好適にはスクロールコンプレッサが用いられる。圧縮機１２の吸入側の冷媒系統には低圧センサ５１が設けられ、吐出側の冷媒系統には高圧センサ５２が設けられている。これら圧力センサ５１、５２の出力は、室外ユニット１ａの室外制御装置３０ａ内の入力部３２へと出力される。また、冷媒配管には、圧縮機２３を迂回するバイパス配管が設けられている。このバイパス配管には、圧力センサ５１と５２との差圧が所定値以上になった場合に作動し、圧縮機１２の吸入側圧力と吐出側圧力とを略一定圧力に保つための圧力調節弁６０が設けられている。この圧力調節弁６０は、室外制御装置３０ａの制御部３１によりその開度が調節される。さらに、圧縮機１２の吐出側の冷媒配管には温度センサ２７が設けられており、この出力は入力部３２へと送られるようになっている。
【００２５】
凝縮器１３は、圧縮機１２からの高温高圧のガス冷媒を外気である空気と熱交換させて凝縮させる熱交換器である。凝縮器１３には、室外ファン１３ａが対向配置されており、この室外ファン１３ａによって送られる空気による強制対流によって熱交換が促進されるようになっている。室外ファン１３ａは、室外制御装置３０ａの制御部３２ａによって起動・停止が行われ、あるいは回転数制御が行われる。
凝縮器１３の上流側の冷媒配管には温度センサ２３が、下流側には温度センサ２４がそれぞれ設けられている。これら温度センサ２３，２４の出力は室外制御装置３０ａの入力部３２に送られる。
室外機３１ａには、室外温センサ２６が設けられており、この出力は入力部３２に送られるようになっている。
【００２６】
受液器１５は、凝縮器１３において凝縮された液冷媒が貯留される容器である。低外気温ではない通常の外気温時には、システムにおいて余剰とされた余剰冷媒が貯留されるようになっている。
受液器１５の側壁には、受液器温度センサ２８が設けられている。受液器温度センサ２８の出力は、室外制御装置３０ａの入力部３２へと送られるようになっており、この出力値に基づいて受液器１５内の液面位置が推定される。
【００２７】
次に、室内機２ａ乃至２ｃの内部構成について説明する。ここで、室内機２ａ乃至２ｃはいずれも同一の構成を有するので、室内機２ａについてのみ説明し、室内ユニット２ｂ及び２ｃについては説明を省略する。
膨張弁１７は、室外機３１ａ側から供給された液冷媒を略等エンタルピー的に膨張させるものである。膨張弁１７は、好適には電子膨張弁（ＥＥＶ）が用いられ、室内制御装置４０ａの制御部４１によって開度がそれぞれ制御されるようになっている。この膨張弁１７の開度によって、システム内を循環する循環冷媒量が決定される。また、所定の過熱度（例えば３ｄｅｇ）が維持されるように、制御部４１によって制御される。
【００２８】
蒸発器１９は、膨張弁１７からの低圧液冷媒を室内空気と熱交換させて蒸発させる熱交換器である。蒸発器１９の上流側の冷媒配管には温度センサ２１が、下流側の冷媒配管には温度センサ２２がそれぞれ設けられている。これら温度センサ２１、２２の出力は、室内制御装置４０ａの入力部４２へと送られる。温度センサ２２から温度センサ２１を減じた温度によって過熱度が決定される。
【００２９】
蒸発器１９には、室内ファン２９が対向配置されており、この室内ファン２９によって送られる空気による強制対流によって熱交換が促進されるようになっている。室内ファン２９は、室内制御装置４０ａの制御部４１によって起動・停止が行われ、あるいは回転数制御が行われる。
【００３０】
室内機４１ａの蒸発器１９の中間位置には熱交温度センサ２５が設けられており、その出力は入力部４２へと送られる。この温度センサ２５によって得られる温度に基づいて、制御部４１から出された指令は室外制御装置３０ａの入力部３２に送られる。その指令や室内吸込み空気温度、設定室内温度等に基づいて室外制御装置３０ａの制御部３１は圧縮機１２の発停又はその回転数を制御することで冷凍能力を調整し、室内空気温度の制御を行う。
室外制御装置３０ａは、マイコンを備え、室外機３１ａ内の各センサや室内制御装置４０ａ乃至４０ｃからの指令に基づいて室外機３１ａを制御する。
室内制御装置４０ａ乃至４０ｃは、マイコンを備え、室内機２ａ乃至２ｃ内の各センサや室外制御装置３０ａからのデータに基づいて室内機４１ａ乃至４１ｃをそれぞれ制御する。
【００３１】
このような構成を備える空気調和機は、例えば、夏季のような通常外気温時には、以下のように動作する。
圧縮機１２によって圧縮された高温高圧のガス冷媒は、凝縮器１３において凝縮して高圧液冷媒となる。高圧液冷媒は、一部の余剰冷媒が受液器１５に貯留された後、膨張弁１７へと送られて略等エンタルピー的に減圧させられる。低圧液冷媒は、蒸発器１９において蒸発し、室内ファン２９によって送られる室内空気から熱を奪う。熱を奪われ冷却された空気は、室内へと送られ、室内温度を低下させることにより冷房を実現する。蒸発器１９において蒸発した低圧ガス冷媒は、圧縮機１２の吸入側へと導かれ、再び圧縮される。
【００３２】
ここで、本空気調和機を構成する室外機３１ａ及び室内機４１ａ乃至４１ｃは、上述したシングル冷房専用機だけなく、図３に示すようなヒートポンプ運転による暖房運転をも行うシングル冷暖房機、図４に示すようなマルチ冷暖房機、図５に示すようなマルチ組み合わせマルチ冷暖房機、図６に示すような冷暖フリーマルチエアコン、図７に示すような組み合わせ冷暖フリーマルチエアコンが複数系統として組み合わされた構成とされていても良い。
【００３３】
次に、図１に示した空調システムにおいて自動的にアドレスを設定するアドレス設定装置の動作について説明する。本実施形態に係るアドレス設定装置１００は、内部に、コンピュータシステムを有している。以下に示すアドレス設定方法に関する一連の処理手順は、プログラムの形式でコンピュータ読み取り可能な記録媒体に記憶されており、このプログラム（アドレス設定プログラム）をコンピュータが読み出して実行することによって、後述の処理が行われる。
すなわち、アドレス設定装置は、ＣＰＵ等の中央演算処理装置がＲＯＭやＲＡＭ等の主記憶装置に上記プログラムを読み出して、情報の加工・演算処理を実行することにより、実現されるものである。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３４】
以下、このアドレス設定装置によるアドレス設定方法について、図を参照して詳しく説明する。
なお、以下の説明において、空調システムを構成する各室外ユニット及び各室内ユニットは、図２に示した冷房専用機によって構成されているものとする。なお、この例に限定されることなく、上述のように冷房専用機のほか、他の冷暖房機の組み合わせ等により構成されている空調システムにおいても本実施形態に係るアドレス設定装置を適用することができる。
【００３５】
〔第１の実施形態〕
以下、本発明の第１の実施形態に係るアドレス設定方法について、図８及び図９を参照して説明する。
【００３６】
まず、アドレス設定装置１００の電源が投入されると、ステップＳＡ１において、全ての室内ユニット２ａ乃至２ｆの制御部４１（図２参照）に対して膨張弁１７（図２参照）を全閉状態とする制御指令（例えば、０パルス）を出力する。
続いて、ステップＳＡ２において、複数の室外ユニット１ａ、１ｂのうち、１つの室外ユニットを選択し、運転を開始させる。本実施形態では、仮アドレスの小さい室外ユニット１ａを選択し、選択した室外ユニット１ａに対して運転指令を出力する。
【００３７】
次に、ステップＳＡ３では、室外ユニット１ａを運転させた状態において、圧縮機の吸入側圧力が規定値よりも低下した他の室外ユニットが存在するか否かを判定する。この結果、圧縮機１２の吸入側圧力が規定値よりも低下した他の室外ユニットが存在した場合には、ステップＳＡ４に移行し、この他の室外ユニットと現在運転中である室外ユニット１ａとが同一冷却配管１０ａにより接続されていると判断し、当該他の室外ユニットを現在運転中の室外ユニットの子機として断定し、この室外ユニットに対して子機であることを示すアドレスを設定する。例えば、室外ユニット１ａの子機として断定した場合には、そのアドレスの最初の２桁を「４６」とするアドレスを登録する。
一方、圧縮機１２の吸入側圧力が規定値よりも低下した他の室外ユニットが存在しなかった場合には、ステップＳＡ５に移行する。
【００３８】
ステップＳＡ５では、室内ユニット２ａ乃至２ｆの中から１つの室内ユニットを選択し、選択した室内ユニットの膨張弁１７を所定の開度まで開操作する。ここでは、室外ユニット１ａの子機として仮登録されている室内ユニット２ａ乃至２ｃの中から仮アドレスの最も小さい室内ユニット２ａを選択し、この室内ユニットの制御部４１（図２参照）に対して、膨張弁１７（図２参照）の開指令を出力する。ここで、開指令による開度は、膨張弁１７の製品のバラツキを考慮し、確実に膨張弁１７を開かせることのできる値に設定されている。例えば、膨張弁１７の全閉状態から全開状態とするのに、５００パルスの指令が必要である場合、その一割程度のパルスを開指令として与える。
【００３９】
次に、ステップＳＡ６において、図２に示したように、室内ユニット２ａに設けられている温度センサ２５または２１（望ましくは後流側の温度センサ２５）からの計測値Ｔ１をモニタし、この計測値Ｔ１が判定値Ｔｒｅｆ以下になるか否かを判定するとともに、室外ユニット１ａの圧縮機１２の吸入側の冷媒配管に設けられた低圧センサ５１からの計測値Ｐ１をモニタし、この計測値Ｐ１が判定値Ｐｒｅｆ以下になるか否かを判定する。
本実施形態では、上記判定値Ｔｒｅｆは、室内ユニット２ａの膨張弁１７を開操作する前の温度Ｔ０から所定値（例えば、１０℃）低い値に設定されている。つまり、開操作する前の温度Ｔ０が２８℃であった場合には、判定値Ｔｒｅｆは「２８℃−１０℃＝１８℃」に設定されることとなる。また、判定値Ｐｒｅｆについては、例えば、０．４ＭＰａに設定されている。
【００４０】
これにより、計測値Ｔ１が判定値Ｔｒｅｆ以下になった場合、或いは、計測値Ｐ１が判定値Ｐｒｅｆ以下になった場合には、ステップＳＡ７に移行し、開指令を出力した室内ユニット、つまりここでは、室内ユニット２ａが現在運転中である室外ユニット１ａの子機であると断定し、室内ユニット２ａに対して室外ユニット１ａの子機であることを示すアドレスを設定する（ステップＳＡ７）。
【００４１】
ここで、室内ユニット２ａに予め設定されている仮アドレス「４６／０１」が室外ユニット１ａの子機であることを示すアドレスであった場合には、その仮アドレスを本アドレスとして登録する。
【００４２】
一方、上記条件を満たしておらず、室内ユニット２ａが室外ユニット１ａの子機であると判断しなかった場合には、ステップＳＡ８に移行し、この室内ユニット２ａの本アドレスの登録を行わずに、次のステップＳＡ９に移行する。
【００４３】
ステップＳＡ９では、上述のステップＳＡ５において膨張弁１７を開操作した室内ユニット２ａの制御部４１（図２参照）に対して、膨張弁１７（図２参照）の全閉指令を出力する。
続いて、ステップＳＡ１０（図９参照）において、室外ユニット１ａの低圧センサ５１の計測値Ｐ１が運転許容値（本実施形態では、０．３ＭＰａ）以下であるか否かを判定する（ステップＳＡ１２）。この結果、運転許容値以下であった場合には、ステップＳＡ１１に移行し、圧力回復処理を行う。
【００４４】
この圧力回復処理では、まず、現在運転している室外ユニット１ａの運転を一旦停止させ、その後、室外ユニット１ａの圧縮機１２（図２参照）を迂回するバイパス配管に設けられている圧力調節弁６０（図２参照）を操作することにより、圧縮機１２の吸入側圧力と吐出側圧力とを略一定とする。そして、両者の差圧が略ゼロとなったことを確認すると、アドレス設定装置１００は、圧力調節弁６０を全閉とする信号を制御部３１（図２参照）へ与え、その後、室外ユニット１ａを再び運転させる。このように、定期的に圧縮機１２の吸入側圧力をモニタしておくことで、室内ユニットの膨張弁１７を何度も閉−開操作することによる、圧縮機１２の吸入側圧力Ｐ１の過度の低下を防止することが可能となる。これにより、圧縮機１２の故障を防止する。
【００４５】
一方、上述のステップＳＡ１０において、室外ユニット１ａの低圧センサ５１の計測値Ｐ１が運転許容値（本実施形態では、０．３ＭＰａ）以下でないと判定された場合には、上述の圧力回復処理を行わずに、ステップＳＡ１２へ移行する。
ステップＳＡ１２では、アドレスが本登録されていない全ての室内ユニット２ａ乃至２ｆに対して、上述のステップＳＡ５乃至ＳＡ９の処理を実施したか否かを判定する。この結果、室内ユニット２ａに対してしか処理を行っていないため、ステップＳＡ５へ移行し、アドレスが本登録されていない室内ユニットにおいて、次に仮アドレスの小さい室内ユニットを選択し、選択した室内ユニットに対して膨張弁１７の開指令を出力する。これにより、次に仮アドレスの小さい室内ユニット２ｂを対象として、上述のステップＳＡ５乃至ステップＳＡ９の処理が行われる。
【００４６】
このようにして、ステップＳＡ５からステップＳＡ１２が繰り返し行われることにより、ステップＳＡ１２において、全ての室内ユニット２ａ乃至２ｆに対して上述の処理が行われたと判断すると、つまり、全ての室内ユニット２ａ乃至２ｆと室外ユニット１ａとの冷媒系統の接続状態が判断されたと判定すると、ステップＳＡ１３に移行し、現在運転中である室外ユニット１ａの運転を停止させる。
【００４７】
続くステップＳＡ１４では、全ての室外ユニット１ａ、１ｂを運転したか否かを判定する。この結果、室外ユニット１ｂについては、運転をしていないので、ステップＳＡ２に戻り、室外ユニット１ｂを運転させる。続いて、ステップＳＡ３において、未だアドレスが確定していない室内ユニット、つまり、上記室外ユニット１ａとは同一冷媒系統で接続されていないと判断された室内ユニットの中から１つの室内ユニットを選択し、この室内ユニットの制御部４１（図２参照）に対して膨張弁１７の開指令を出力する。
【００４８】
このようにして、室外ユニット１ｂについても、未だアドレスが確定していない全ての室内ユニットに対しての処理が終了すると、ステップＳＡ１２及びステップＳＡ１４において「ＹＥＳ」と判断され、ステップＳＡ１５に移行する。
【００４９】
ステップＳＡ１５では、未だにアドレスが登録されていない室内ユニットが存在するか否かを判定する。この結果、未だにアドレスが登録されていない室内ユニットがなければ、当該処理を終了する。一方、アドレスが登録されていない室内ユニットがあった場合には、ステップＳＡ１６に移行し、配管未接続の室内ユニットがあると判断して、異常を通知した後に、本処理を終了する。なお、上記通知は、表示等により視覚的に訴えるものでも良いし、ブザーなどにより聴覚的に訴えるものでも良い。
【００５０】
このように、配管未接続の室内ユニットが存在した場合には、その異常が報知されるので、外部のオペレータがその事実を認識し、適切な措置を早期にとることが可能となる。
【００５１】
以上説明したように、本実施形態にかかるアドレス設定装置１００によれば、以下の作用効果を奏する。
一の室外ユニットを運転させた状態において、各室内ユニットの膨張弁を１台ずつ開けて、この室内ユニットが一の室外ユニットと同一冷媒系統で接続されているかを判定するので、冷媒量が不確定な場合でも、配管長、外気温、及び接続容量等の影響を受けずに、室内外ユニットの冷媒系統の接続状態を高い精度で検出することが可能となる。
また、本実施形態に係るアドレス設定装置によれば、空調機据付後におけるアドレス設定、アドレス変更が可能となるので、空調機据付時のアドレス設定工事を省略することができるとともに、その工事費の低減を図ることができる。更に、室外アドレススイッチ等が不要となるので、室内外ユニットの部品点数の低減を図ることも可能となる。
更に、室外ユニットの圧縮機の入口圧力が運転許容値を下回った場合には、一の室外ユニットの運転を停止させて、圧縮機の入口圧力を回復させることにより、圧縮機の故障を防ぐ。
また、仮アドレスを参照して、仮アドレスに応じた順番で室外ユニット及び室内ユニットに指令を出すので、アドレス設定に要する時間を短縮することができる。つまり、同一冷媒系統によって接続されている可能性の高い室外ユニットと室内ユニットとを優先させて判定することができるので、効率よくアドレス設定を行うことが可能となる。
【００５２】
〔第２の実施形態〕
次に、本発明の第２の実施形態に係るアドレス設定方法について、図１０及び図１１を用いて説明する。
まず、ステップＳＢ１において、室内ユニット２ａ乃至２ｆの膨張弁１７（図２参照）を全閉操作し、ステップＳＢ２において、複数の室外ユニット１ａ、１ｂの中から一の室外ユニット（例えば、室外ユニット１ａ）を選択し、選択した一の室外ユニット１ａの圧縮機１２（図２参照）の吸気側圧力Ｐ１（ｔ＝０）を記憶する。
続くステップＳＢ３において、ステップＳＢ２において選択した一の室外ユニット（例えば、室外ユニット１ａ）の運転を開始させ、その圧縮機１２の吸入側圧力Ｐ１が運転停止圧力Ｐｓｔｏｐまで低下した時点で運転を停止させる。例えば、運転停止圧力Ｐｓｔｏｐは０．３ＭＰａに設定されている。
【００５３】
続くステップＳＢ４では、一の室外ユニット１ａの運転開始により、圧縮機の吸入側圧力が低下した他の室外ユニットが存在するか否かを判定する。この結果、圧縮機の吸入側圧力が低下した他の室外ユニットがあった場合には、その室外ユニットと現在運転中である室外ユニット１ａとが同一冷却配管１０ａにより接続されていると判断し、ステップＳＢ５において、圧縮機の吸入側圧力が低下した他の室外ユニットに対して室外ユニット１ａの子機であることを示すアドレスを設定する。
一方、ステップＳＢ４において、圧縮機の吸入側圧力が規定値よりも低下した室外ユニットが存在しなかった場合には、そのままステップＳＢ６に移行する。
【００５４】
ステップＳＢ６では、室内ユニット２ａ乃至２ｆの中から１つの室内ユニット（例えば、室内ユニット２ａ）を選択し、選択した室内ユニット２ａの膨張弁１７（図２参照）を所定の開度まで開操作する。この場合においても、上記一の室外ユニット１ａの子機として仮登録されている室内ユニットのうち、仮アドレスが小さいものから選択するとよい。なお、この開操作は、上述の第１の実施形態と同様である。
【００５５】
次に、ステップＳＢ７において、膨張弁１７（図２参照）を開操作した室内ユニット２ａの温度センサ２５または２１の計測値Ｔ１及び室外ユニット１ａの低圧センサ５１からの計測値Ｐ１をモニタし、上記膨張弁１７を所定の開度まで開いた時点から所定の期間内（例えば、２分後）で、計測値Ｔ１が判定値Ｔｒｅｆ´まで低下したか、或いは、計測値Ｐ１が判定値Ｐｒｅｆ´まで増加したかを判定する。
本実施形態では、上記判定値Ｔｒｅｆ´は、室内ユニット２ａの膨張弁１７を開操作する前の温度Ｔ０から所定値（例えば、１０℃）低い値に設定される。つまり、開操作する前の温度Ｔ０が２８℃であった場合には、判定値Ｔｒｅｆは「２８℃−１０℃＝１８℃」に設定されることとなる。また、判定値Ｐｒｅｆ´については、例えば、室内ユニット２ａの膨張弁１７を開操作する前の圧力Ｐ１に所定値（例えば、０．１ＭＰａ）加算した値に設定されている。
【００５６】
この結果、上記所定期間内において、計測値Ｔ１が判定値Ｔｒｅｆ´まで低下した場合、或いは、計測値Ｐ１が判定値Ｐｒｅｆ´まで増加した場合には、ステップＳＢ８において、開指令を出力した該室内ユニット２ａは、現在運転中である室外ユニット１ａの子機であると断定し、室内ユニット２ａに対して室外ユニット１ａの子機であることを示すアドレスを設定する。このアドレス設定についても、上述の第１の実施形態と同様に行われる。
【００５７】
一方、ステップＳＢ７において、上記条件を満たしておらず、室内ユニット２ａが室外ユニット１ａの子機であると断定できなかった場合には、ステップＳＢ９に移行し、当該室内ユニット２ａの本アドレスの登録を行わずに、次のステップＳＢ１０に移行する。
【００５８】
ステップＳＢ１０では、該室内ユニット２ａの膨張弁１７（図２参照）を全閉操作する。
続いて、図１１に示すステップＳＢ１１において、上記ステップＳＢ２において記憶した室外ユニット１ａの起動時における圧縮機の吸入側圧力Ｐ１（ｔ＝０）と現在の圧縮機の吸入側圧力Ｐ１との差圧ΔＰ（Ｐ１（ｔ＝０）−Ｐ１＝ΔＰ）が、上記同一冷媒系統に接続されているか否かを判定するのに十分な差圧に保たれているか否かを判定する。例えば、該差圧ΔＰが判定可能値Ｐｇ（例えば、０．１ＭＰａ）以上であるか否かを判定する。この結果、差圧ΔＰが判定可能値Ｐｇ未満であった場合には、ステップＳＢ１２に移行し、強制運転処理を行う。
【００５９】
この強制運転処理では、まず、現在運転を停止している室外ユニット１ａの運転を再開させ、圧縮機１２（図２参照）の吸入側圧力Ｐ１が運転停止圧力以下となった時点で運転を停止させる。これにより、上記差圧ΔＰが、上記同一冷媒系統に接続されているか否かを判定するのに十分な差圧に保たれることとなり、アドレス設定処理を継続して行える状態となる。
なお、ステップＳＢ１１において、差圧ΔＰが判定可能値以上であった場合には、強制運転処理を行わずに、ステップＳＢ１３へ移行する。
ステップＳＢ１３では、アドレスが本登録されていない全ての室内ユニット２ａ乃至２ｆに対して、上述のステップＳＢ６乃至ＳＢ１０の処理を実施したか否かを判定する。この結果、室内ユニット２ａに対してしか処理を行っていないため、ステップＳＢ６へ移行し、アドレスが本登録されていない室内ユニットにおいて、次に仮アドレスの小さい室内ユニットを選択し、選択した室内ユニットに対して膨張弁１７の開指令を出力する。これにより、次に仮アドレスの小さい室内ユニット２ｂを対象として、上述のステップＳＢ６乃至ステップＳＢ１３の処理が行われる。
【００６０】
このようにして、ステップＳＢ６からステップＳＢ１３が繰り返し行われることにより、ステップＳＢ１３において、全ての室内ユニット２ａ乃至２ｆに対して上述の処理が行われたと判断すると、つまり、全ての室内ユニット２ａ乃至２ｆと室外ユニット１ａとの冷媒系統の接続状態が判断されたと判定すると、ステップＳＢ１４に移行し、全ての室外ユニット１ａ、１ｂについて、冷媒系統の接続判定を行ったか否かを判定する。この結果、室外ユニット１ｂについては行っていないので、ステップＳＢ２に戻り、室外ユニット１ｂについての冷媒系統の接続判定を行う。
そして、室外ユニット１ｂに対しても、未だアドレスが確定していない室内ユニットの膨張弁１７（図２参照）を順番に操作することにより、室外ユニット１ｂとの冷媒系統の接続関係を判断する。そして、室外ユニット１ｂに対しても、アドレスが未確定である全ての室内ユニットに対しての処理が終了すると、ステップＳＢ１３及びステップＳＢ１４において「ＹＥＳ」と判定し、ステップＳＢ１５に移行する。
【００６１】
ステップＳＢ１５では、未だにアドレスが登録されていない室内ユニットが存在するか否かを判定する。この結果、未だにアドレスが登録されていない室内ユニットが存在しなければ、全ての室内ユニットがいずれかの室外ユニットと同一の冷媒系統に接続されていると判断して、当該処理を終了する。一方、アドレスが登録されていない室内ユニットがあった場合には、配管未接続であると判断して、異常を通知し、その後、本処理を修了する。
【００６２】
以上説明したように、本実施形態に係るアドレス設定方法によれば、一の室外ユニットの圧縮機の吸入側圧力を低下させた状態において、各室内ユニットの膨張弁を１台ずつ開け、このときの室内外ユニットの状態量に応じて、膨張弁を操作している室内ユニットが一の室外ユニットと同一冷媒系統で接続されているかを順番に判定するので、冷媒量が不確定な場合でも、配管長、外気温、及び接続容量等の影響を受けることなく、室内外ユニットの冷媒系統の接続状態を確実に把握することが可能となる。
【００６３】
また、本実施形態のアドレス設定方法によれば、空調機据付後におけるアドレス設定、アドレス変更が可能となるので、空調機据付時のアドレス設定工事を省略することができるとともに、その工事費の低減を図ることができる。
更に、室外アドレススイッチ等が不要となるので、室内外ユニットの部品点数の低減を図ることも可能となる。
また、室内ユニットの膨張弁を開け閉めすることにより、室外ユニットの圧縮機の吸入側圧力Ｐ１が上昇し、起動前との差圧ΔＰが規定値Ｐｇ以下となった場合には、一旦、室外ユニットの運転を再開して強制運転処理を実施することにより、圧縮機の吸入側圧力Ｐ１を運転停止圧力まで低下させるので、常に、良好な状態で室内ユニットと室外ユニットとの接続関係を判定することが可能となる。これにより、室外ユニットと室内ユニットとの接続関係を高い精度で把握することができる。
【００６４】
以上、本発明の実施形態について図面を参照して詳述してきたが、具体的な構成はこの実施形態に限られるものではなく、本発明の要旨を逸脱しない範囲の設計変更等も含まれる。
【図面の簡単な説明】
【００６５】
【図１】空調システムの全体構成を示す図である。
【図２】図１において室外ユニット及び室内ユニットを冷房専用機によって構成されているものとしたときの空気調和機の冷凍サイクルを示す冷媒回路図である。
【図３】図１において室外ユニット及び室内ユニットを冷暖房機によって構成されているものとしたときの空気調和機の冷凍サイクルを示す冷媒回路図である。
【図４】図１において室外ユニット及び室内ユニットをマルチ冷暖房機によって構成したときの空気調和機の冷凍サイクルを示す冷媒回路図である。
【図５】図１において室外ユニット及び室内ユニットを組合せマルチ冷暖房機によって構成したときの空気調和機の冷凍サイクルを示す冷媒回路図である。
【図６】図１において室外ユニット及び室内ユニットを冷暖房フリーマルチエアコンによって構成したときの空気調和機の冷凍サイクルを示す冷媒回路図である。
【図７】図１において室外ユニット及び室内ユニットを冷暖房フリー組合せマルチエアコンによって構成したときの空気調和機の冷凍サイクルを示す冷媒回路図である。
【図８】本発明の第１の実施形態に係るアドレス設定方法の処理手順について示したフローチャートである。
【図９】本発明の第１の実施形態に係るアドレス設定方法の処理手順について示したフローチャートである。
【図１０】本発明の第２の実施形態に係るアドレス設定方法の処理手順について示したフローチャートである。
【図１１】本発明の第２の実施形態に係るアドレス設定方法の処理手順について示したフローチャートである。
【符号の説明】
【００６６】
１ａ、１ｂ  室外ユニット
２ａ乃至２ｆ  室内ユニット
１０ａ、１０ｂ  冷媒系統
１２  圧縮機
１７  膨張弁
１９  蒸発器
１００  アドレス設定装置
２５  温度センサ
５１  圧力センサ
６０  圧力調節弁
【図１】
2007085673.tif 000003
【図２】
2007085673.tif 000004
【図３】
2007085673.tif 000005
【図４】
2007085673.tif 000006
【図５】
2007085673.tif 000007
【図６】
2007085673.tif 000008
【図７】
2007085673.tif 000009
【図８】
2007085673.tif 000010
【図９】
2007085673.tif 000011
【図１０】
2007085673.tif 000012
【図１１】
2007085673.tif 000013